(57)【特許請求の範囲】
【請求項１】
フレームと、このフレームの上面に取付ける甲板と、フレームの前面に取付ける前面板等から成り、内部に配管類を収納し前面に大便器、小便器等の設備機器を取付ける配管ユニットにおいて、
前記フレームは、断面視略逆Ｌ形を呈し、一端を床、他端を壁に臨ませ、且つ高さ方向中央部に、略逆Ｌ形の補強材の一端を固定し、
この補強材の他端を床に臨ませることで、基本的にフレームの下部と、補強材の下部とを床側に固定して自立させた、
ことを特徴とする配管ユニットの固定構造。
【請求項２】
前記補強材の一端をフレームの中央部にボルト・ナットで固定したことを特徴とする請求項１記載の配管ユニットの固定構造。
【請求項３】
前記補強材の他端を床固定材に固定し、この床固定材をアンカーボルトで床に固定したことを特徴とする請求項１又は請求項２記載の配管ユニットの固定構造。
【請求項４】
前記補強材を水平方向に間隔を開けて複数個設けたことを特徴とする請求項１、請求項２または請求項３記載の配管ユニットの固定構造。
【発明の詳細な説明】
【０００１】
【発明の属する技術分野】
本発明は、内部に給水管、排水管等の配管類を収納し、大便器、小便器等の設備機器を取付けるための配管ユニットの固定構造に関する。
【０００２】
【従来の技術】
図１４は従来の配管ユニットの固定構造を示す側断面図であり、配管ユニット１００は、側面視略五角形のフレーム１０１と、このフレーム１０１の上面に取付ける甲板１０２と、フレーム１０１の前面に取付ける前面板１０３等からなる。フレーム１０１内に排水管、給水管、通気管等の配管類１０４を収納し、前面に腰掛便器１０５等の設備機器を建築躯体の床１０６から浮せた状態で取付けたものである。
【０００３】
フレーム１０１は、前面に腰掛便器１０５を床１０６から浮せた状態で取付けているので、腰掛便器１０５の自重と使用者の体重とが加わるから、図でフレーム１０１に反時計廻りのモーメントがかかる。そのためフレーム１０１が倒れないように、建築躯体の床１０６と、壁１０７に夫々アンカーボルト１０８，１０９で固定している。
【０００４】
【発明が解決しようとする課題】
しかしながら建築躯体の床１０６はコンクリート等で形成されていて頑丈であるが、壁１０７はボードのような部材でできており、建築躯体の床１０６と比べて余り頑丈でないから、壁１０７の裏面を補強板１１０で補強する必要がある。
ところで建築躯体側の施工と、配管ユニット１００等の設備機器のための施工とでは施工業者が異なるため、現場監督を通して担当業者に現場で折衝して壁１０７の裏面を補強板１１０で補強する必要があるが、間が悪いと設備機器のための施工業者が何度も足を運んで現場監督と折衝しなければならず、それだけ工期が遅れる原因となる。
【０００５】
そこで本発明の目的は、壁に補強板を取付ける必要のない配管ユニットの固定構造を提供することにある。
【０００６】
【課題を解決するための手段】
上記課題を解決するために本発明の請求項１は、フレームと、このフレームの上面に取付ける甲板と、フレームの前面に取付ける前面板等から成り、内部に配管類を収納し前面に大便器、小便器等の設備機器を取付ける配管ユニットにおいて、フレームは、断面視略逆Ｌ形を呈し、一端を床、他端を壁に臨ませ、且つ高さ方向中央部に、略逆Ｌ形の補強材の一端を固定し、この補強材の他端を床に臨ませることで、基本的にフレームの下部と、補強材の下部とを床側に固定して自立させた。
【０００７】
フレームを略逆Ｌ形にし、補強材を略逆Ｌ形にしたので、補強材の垂直部がフレームに干渉することなく、且つ補強材の水平部をフレーム内の配管類の間を通して配管類に干渉することなく、補強材によってフレームを床に強固に固定することができる。
【０００８】
またフレームを略逆Ｌ形にしたので、フレームの後部がなくなって、部材を大幅に削減することができるから、コストダウンを図ることができ、併せてフレーム自体の奥行寸法も小さくすることができるから、室内の空間を有効に利用することができる。
更にフレームを壁に固定しないので、壁の補強をする必要がなく、建築躯体の施工を調整する必要がないから、配管ユニットの施工を建築躯体の施工に余り左右されずに行なうことができる。
【０００９】
請求項２は、補強材の一端をフレームの中央部にボルト・ナットで固定した。
補強材のフレームへの固定を簡単に強固に行なうことができる。
【００１０】
請求項３は、補強材の他端を床固定材に固定し、この床固定材をアンカーボルトで床に固定した。
補強材をアンカーボルトで建築躯体の床に固定するので、補強材を強固に固定することができるから、補強材で固定したフレームに、大便器、小便器等の設備機器を取付けても倒れる虞は全くない。
【００１１】
請求項４は、補強材を水平方向に間隔を開けて複数個設けた。
フレームを複数個の補強材で床に固定したので、フレームの固定が一層強固なものとなる。
【００１２】
【発明の実施の形態】
次に本発明の実施の形態を添付した図面に基づいて説明する。なお、図面は符号の向きに見るものとする。
図１は本発明の配管ユニットの分解斜視図であり、配管ユニット１は、内部に配管類を収納するフレーム２と、このフレーム２の上面に取付ける甲板３と、フレーム２の前面に取付ける上部前面板４と、３枚に分割した下部前面板５，６，７と、フレーム２を床に固定する補強材８と、床に接するフレーム２の前面基部に設ける幅木９等からなる。
【００１３】
フレーム２の前面に、上下の前面板４，５，６，７を介して壁掛け式の腰掛便器１０、又は小便器等の設備機器を取付ける。１１は、使用した腰掛便器１０内に水を流すための給水ボタンである。
【００１４】
フレーム２は、溝形鋼、山形鋼、平鋼をビス、または溶接で組み付けて形成した全体が断面視略逆Ｌ形の部材であり、縦長の直方形状の前枠１２と、この前枠１２の上部に、前枠１２に対して広角にビスで固定、または溶接した天枠１３とからなる。
【００１５】
前枠１２の中間部に間隔を開けて溝形鋼からなる２本の縦桟１４，１４を取付け、この縦桟１４，１４の下部に、固定板１６をビス等で固定する。固定板１６の上部に前記腰掛便器１０を取付けるための太径のピン１７，１７を突設し、固定板１６の下部に腰掛便器１０に接続した排水管を挿通するための開口部１８を設ける。１５はフレーム２の下枠、１９は横桟である。
【００１６】
甲板３と上部前面板４は一体に設ける。上部前面板４の左隅に前記給水ボタン１１を取付けるための開口部２０を設ける。中央の下部前面板６の下部に、排水管のための開口部２１を設け、上部に給水管のための開口部２２を設ける。２４，２４は、前記固定板１６のピン１７を挿通するための孔である。
甲板３、上部前面板４、及び下部前面板４，５，６，７は、腰掛便器１０の取付部を除いて仕上材で構成する。
【００１７】
補強材８は、溝形鋼で形成した側面視略逆Ｌ形の部材であり、水平部２５と、水平部２５の端部から一体に垂設した垂直部２６とからなる。補強材８は、２本をフレーム２の縦桟１４，１４間の間隔と等しく設け、垂直部２６を床固定材２７に溶接する。床固定材２７は、側面視略Ｌ形の部材であり、水平な固定部２８に、アンカーボルトを挿通するための複数の孔２９…を備える。
【００１８】
図２は本発明の配管ユニットの側断面図であり、配管ユニット１のフレーム２は、水平に設けた天枠１３に対して前枠１２を広角に取付けて傾斜させてある。前枠１２の下端部は、屈曲して床３３に対して垂直に設けた線材で形成し、この屈曲した前枠１２の下端部に略Ｌ形の下枠３０を取付ける。下枠３０の垂直部３０ａに、前記幅木９を取付ける。
【００１９】
下枠３０の水平部３０ｂにアンカーボルト３１を挿通し、高さ調整のためのライナー３２を介装してフレーム２を建築躯体の床３３に固定する。同様に床固定材２７の固定部２８にアンカーボルト３１を挿通し、高さ調整のためのライナー３２を介装してフレーム２を建築躯体の床３３に固定する。フレーム２は、床３３に固定して垂直に自立させるが、天枠１３の垂直片３４をボード等でできた壁３５に臨ませ、ボルト３６で壁３５に補助的に固定する。
【００２０】
フレーム２内に、排水本管３７、給水本管３８、及び通気管３９等の配管類を収納する。排水本管３７を排水管４０で腰掛便器１０に接続する。給水本管３８を給水管４１で腰掛便器１０に接続する。また排水本管３７を枝管４２で通気管３９に接続する。排水本管３７は、ブラケット４３を介してＵバンド４４でフレーム２に固定する。同様に給水本管３８、及び通気管３９も、ブラケット４５，４６を介してＵバンド４７，４８でフレーム２に固定する。
【００２１】
図３はフレームの裏側から視た斜視図であり、補強材８，８は、みぞ形鋼で形成した水平部２５の先端部を左右の壁片２５ａ，２５ａによる二股に形成する。この壁片２５ａ，２５ａで、フレーム２の中央部の各縦桟１４，１４を挟持し、ボルト４９，４９、及びナットで固定する。
５０は、アンカーボルトを挿通するために下枠３０に設けた孔である。
【００２２】
図４は補強材の水平部の固定構造を示す平断面図であり、縦桟１４を補強材８の水平部２５の左右の壁片２５ａ，２５ａで挟持し、壁片２５ａ，２５ａに設けた孔２５ｂ，２５ｂ及び縦桟１４の壁片１４ａ，１４ａに設けた孔１４ｂ，１４ｂにボルト４９，４９を挿通し、ナット５１で固定する。縦桟１４の左右の壁片１４ａ，１４ａ間にスペーサ５２を介装し、ボルト４９，４９及びナット５１，５１を締着した時、縦桟１４の左右の壁片１４ａ，１４ａが変形を防止する。壁片１４ａと壁片２５ａが強く密着すれば十分な摩擦が発生するからである。スペーサ５２は、座屈に強い厚肉パイプが好適である。
【００２３】
次に図５〜図１０により本発明の配管ユニットの施工手順を説明する。
図５において、建築躯体内のトイレ設置場所にフレーム２、及び床固定材２７と予め一体の補強材８を搬入して仮据えし、床３３及び壁３５に墨出しして、固定用の穴５３の位置をマーキングする。フレーム２及び補強材８は、いったん作業の支障にならない場所へ移動しておき、マーキングした床３３に穴５３を開け、アンカーボルト３１を打込棒５４を使って真上からハンマー５５で十分に叩き込む。打込む深さは３５〜４０ｍｍ位。
【００２４】
図６において、補強材８及び床固定材２７を、床３３及び壁３５に墨出しした線ｐ、及びｑに合せる。
【００２５】
図７において、補強材８の垂直部２６の下の床固定材２７と床３３との間に、鉄、又はプラスチックのライナー３２を介装し、床固定材２７をアジャスターボルト５６…で高さ調整して、墨出しした線ｑに合せる。次いでアンカーボルト３１にナット５７…を廻し締めして、補強材８を固定する。
【００２６】
図８（ａ）において、床３３に固定した補強材８，８の近くに、フレーム２を移動させて、フレーム２の縦桟１４，１４に補強材８の水平部２５，２５を臨ませる。
図８（ｂ）において、補強材８の壁片２５ａ，２５ａでフレーム２の縦桟１４を挟持し、ボルト４９及びワッシャ５７、及び図示せぬナットで、フレーム２に補強材８を固定する。
【００２７】
図９において、フレーム２の縦桟１４，１４の下の下枠３０の水平部３０ｂと床３３との間に、鉄、又はプラスチックのライナー３２を介装し、フレーム２をアジャスターボルト５６…で高さ調整する。次いでアンカーボルト３１にナット５７…を廻し締めして、フレーム２を固定する。
【００２８】
図１０において、下げ振りでフレーム２が傾いていないか確認し、天枠１３の垂直片３４をボルト３６で壁３５に固定する。最後にフレーム２に、甲板３と上部前面板４、及び下部前面板５，６，７を取付ける。
【００２９】
以上述べた本発明の配管ユニットの固定構造の作用を次に説明する。
フレーム２を略逆Ｌ形にし、補強材８を略逆Ｌ形にしたので、補強材８の垂直部２６がフレーム２に干渉することがない。そして補強材８の水平部２５をフレーム２内の排水管３７、給水管３８、及び通気管３９等の配管類の間を通して配管類に干渉することなく、補強材８によってフレーム２を床３３に強固に固定することができる。
【００３０】
またフレーム２を略逆Ｌ形にしたので、フレーム２の後部がいらなくなって、部材を大幅に削減することができるから、コストダウンを図ることができ、併せてフレーム２自体の奥行寸法も小さくすることができるから、室内の空間を有効に利用することができる。
更にフレーム２を壁３５に固定しないので、壁３５の補強をする必要がなく、建築躯体の施工を調整する必要がないから、配管ユニット１の施工を建築躯体の施工に余り左右されずに行なうことができる。
【００３１】
補強材８の一端２５ａをフレーム２の縦桟１４の中央部にボルト４９、ナット５１で固定したので、補強材８のフレーム２への固定を簡単に強固に行なうことができる。
また補強材８の他端を床固定材２７に固定し、この床固定材２７をアンカーボルト３１で床に固定したので、補強材８を強固に固定することができるから、補強材８で固定したフレーム２に、腰掛便器１０、小便器等の設備機器を取付けても倒れる虞は全くない。
そして補強材８を２本設けたので、フレーム２の固定が一層強固なものとなる。
【００３２】
尚、上記実施例では、配管ユニット１を１連の場合に付いて説明したが、２連、３連…の配管ユニットも同様に構成して、同様の効果を奏することができる。
【００３３】
図１１は配管ユニットの甲板のフレームへの取付構造を示す斜視図であり、フレーム２の天枠１３の垂直片３４の両端部に、略Ｌ形のステー５８を設ける。ステー５８は、一方の片５８ａを垂直片３４に溶接、又はボルトで固定し、他方の片５８ｂを天枠１３の両側部と略面一にする。ステー５８の他方の片５８ｂは、天枠１３よりも上方に延出し、ピン５９を側方に突設する。このピン５９に、甲板３の両側部に形成した切欠部３ａを係合して、甲板３を動かないようにフレーム２に取付ける。
【００３４】
図１２は配管ユニットの上下に分割した前面板のフレームへの取付構造を示す斜視図であり、フレーム２の縦枠１４，１４の上下方向中間部に、アングル材６０，６０を設ける。アングル材６０は、一方の片６０ａを縦枠１４の前面に溶接、又はボルトで固定し、他方の片６０ｂを図の手前に突出させて、ピン６１を上方に突設する。このピン６１に、下部前面板６の上端部６ａに形成した孔６ｂを挿通し、更にこの上に上部前面板４の下端部４ａに形成した孔４ｂを挿通する。
【００３５】
図１３は配管ユニットの上下に分割した前面板のフレームへの取付構造を示す側断面図であり、アングル材６０のピン６１に下部前面板６の孔６ｂを挿通して下部前面板６を係止し、この上から上部前面板４の孔４ｂをピン６１に挿通して上部前面板４を固定する。左右の下部前面板５、及び７はフレーム２及び下部前面板６に係止させて固定する。
【００３６】
【発明の効果】
本発明は上記の通り構成したので、次のような効果を奏する。
本発明の請求項１は、フレームと、このフレームの上面に取付ける甲板と、フレームの前面に取付ける前面板等から成り、内部に配管類を収納し前面に大便器、小便器等の設備機器を取付ける配管ユニットにおいて、フレームは、断面視略逆Ｌ形を呈し、一端を床、他端を壁に臨ませ、且つ高さ方向中央部に、略逆Ｌ形の補強材の一端を固定し、この補強材の他端を床に臨ませることで、基本的にフレームの下部と、補強材の下部とを床側に固定して自立させた。
【００３７】
フレームを略逆Ｌ形にし、補強材を略逆Ｌ形にしたので、補強材の垂直部がフレームに干渉することなく、且つ補強材の水平部をフレーム内の配管類の間を通して配管類に干渉することなく、補強材によってフレームを床に強固に固定することができる。
【００３８】
またフレームを略逆Ｌ形にしたので、フレームの後部がなくなって、部材を大幅に削減することができるから、コストダウンを図ることができ、併せてフレーム自体の奥行寸法も小さくすることができるから、室内の空間を有効に利用することができる。
更にフレームを壁に固定しないので、壁の補強をする必要がなく、建築躯体の施工を調整する必要がないから、配管ユニットの施工を建築躯体の施工に余り左右されずに行なうことができる。
【００３９】
請求項２は、補強材の一端をフレームの中央部にボルト・ナットで固定した。
補強材のフレームへの固定を簡単に強固に行なうことができる。
【００４０】
請求項３は、補強材の他端を床固定材に固定し、この床固定材をアンカーボルトで床に固定した。
補強材をアンカーボルトで建築躯体の床に固定するので、補強材を強固に固定することができるから、補強材で固定したフレームに、大便器、小便器等の設備機器を取付けても倒れる虞は全くない。
【００４１】
請求項４は、補強材を水平方向に間隔を開けて複数個設けた。
フレームを複数個の補強材で床に固定したので、フレームの固定が一層強固なものとなる。
【図面の簡単な説明】
【図１】本発明の配管ユニットの分解斜視図
【図２】本発明の配管ユニットの側断面図
【図３】フレームの裏側から視た斜視図
【図４】補強材の水平部の固定構造を示す平断面図
【図５】本発明の配管ユニットの施工手順を示す図
【図６】本発明の配管ユニットの施工手順を示す図
【図７】本発明の配管ユニットの施工手順を示す図
【図８】本発明の配管ユニットの施工手順を示す図
【図９】本発明の配管ユニットの施工手順を示す図
【図１０】本発明の配管ユニットの施工手順を示す図
【図１１】配管ユニットの甲板のフレームへの取付構造を示す斜視図
【図１２】配管ユニットの上下に分割した前面板のフレームへの取付構造を示す斜視図
【図１３】同側断面図
【図１４】従来の配管ユニットの固定構造を示す側断面図
【符号の説明】
１…配管ユニット，２…フレーム，３…甲板，４…上部前面板，５，６，７…下部前面板，８…補強材，１０…腰掛便器，１５…縦桟，２５…水平部，２６…垂直部，２７…床固定材，２８…床固定材の固定部，３１…アンカーボルト，３３…床，３５…壁，３７…排水本管，３８…給水本管，３９…通気管，４０…排水管，４２…給水管。
【図１】
0003629817.tif 000002
【図２】
0003629817.tif 000003
【図３】
0003629817.tif 000004
【図４】
0003629817.tif 000005
【図５】
0003629817.tif 000006
【図６】
0003629817.tif 000007
【図７】
0003629817.tif 000008
【図８】
0003629817.tif 000009
【図９】
0003629817.tif 000010
【図１０】
0003629817.tif 000011
【図１１】
0003629817.tif 000012
【図１２】
0003629817.tif 000013
【図１３】
0003629817.tif 000014
【図１４】
0003629817.tif 000015